(57)【特許請求の範囲】
【請求項１】
バックグラウンド音楽再生モジュールをサードパーティーアプリケーションに集積する音楽再生方法であって、
再生リスト識別子を含む音楽再生信号を受信する工程と、
インターフェースを利用して、前記音楽再生信号を前記バックグラウンド音楽再生モジュールに伝送する工程と、
前記バックグラウンド音楽再生モジュールは前記音楽再生信号の再生リスト識別子により対応する再生リストを取得する工程と、
前記バックグラウンド音楽再生モジュールは前記再生リストの中の音楽をランダムに再生する工程と、
を含み、
前記再生リスト識別子を含む音楽再生信号を受信する工程は、具体的に、
前記サードパーティーアプリケーションのインターフェースのマイクロ領域に作用する音楽再生信号を受信する工程であって、前記マイクロ領域は音楽制御パネルを含み、
前記音楽制御パネルは少なくとも一つのリスト信号受信領域を含み、リスト信号受信領域ごとに一つの再生リスト識別子に対応する、前記受信する工程と、
を含み、
前記サードパーティーアプリケーションのインターフェースのマイクロ領域に作用するドラッグ信号を受信する工程と、
前記ドラッグ信号により、前記サードパーティーアプリケーションのインターフェースのマイクロ領域の現在の表示内容の一部又は全部を前記音楽制御パネルに置換して表示する工程と、
をさらに含むことを特徴とする音楽再生方法。
【請求項２】
前記サードパーティーアプリケーションのインターフェースに作用するマイクロ領域の音楽再生信号を受信する工程の前に、
前記サードパーティーアプリケーションのインターフェースのマイクロ領域に作用するパネル切替信号を受信する工程であって、前記マイクロ領域に第１の音楽制御パネル又は第２の音楽制御パネルを含み、前記第１の音楽制御パネルと第２の音楽制御パネルのいずれにも切替信号受信領域を含む、前記受信する工程と、
前記パネル切替信号を受信した後、前記サードパーティーアプリケーションのインターフェースのマイクロ領域に現在表示する音楽制御パネルを他方の音楽制御パネルに切り替えて表示する工程と、
をさらに含むことを特徴とする請求項１に記載の音楽再生方法。
【請求項３】
前記サードパーティーアプリケーションのドロップダウンメニューに作用する第１の選択信号を受信する工程と、
前記第１の選択信号により前記ドロップダウンメニューの音楽項目を含んだメニュー内容を表示する工程と、
前記音楽項目に作用する第２の選択信号を受信する工程と、
前記第２の選択信号により前記サードパーティーアプリケーションのインターフェースのマイクロ領域に前記音楽制御パネルを表示する工程と、
をさらに含むことを特徴とする請求項１に記載の音楽再生方法。
【請求項４】
前記サードパーティーアプリケーションのインターフェースの音楽リンクに作用する第３の選択信号を受信する工程と、
第３の選択信号を受信した後、インターフェースを利用して前記音楽リンクを前記バックグラウンド音楽再生モジュールに伝送する工程と、
前記バックグラウンド音楽再生モジュールが前記音楽リンクにより音楽データを取得する工程と、
前記バックグラウンド音楽再生モジュールが前記音楽データにより音楽を再生する工程と、
をさらに含むことを特徴とする請求項１に記載の音楽再生方法。
【請求項５】
サードパーティーアプリケーションプログラムであって、
前記サードパーティーアプリケーションプログラムは、コンピュータを、
再生リスト識別子を含む音楽再生信号を受信するための信号受信モジュールと、
インターフェースを利用して前記音楽再生信号をバックグラウンド音楽再生モジュールに伝送するための信号伝送モジュールと、
再生リスト取得モジュールと音楽再生モジュールとを含むバックグラウンド音楽再生モジュールと、
して機能させ、
前記再生リスト取得モジュールは、前記音楽再生信号の中の再生リスト識別子により対応する再生リストを取得するためのものであり、
前記音楽再生モジュールは、前記再生リスト取得モジュールが取得した再生リストの中の音楽をランダムに再生するためものであり、
前記信号受信モジュールは音楽再生信号受信ユニットを含み、
前記音楽再生信号受信ユニットは前記サードパーティーアプリケーションプログラムのインターフェースのマイクロ領域に作用する音楽再生信号を受信し、前記マイクロ領域に第１の音楽制御パネルが含まれ、前記第１の音楽制御パネルは少なくとも一つのリスト信号受信領域を含み、リスト信号受信領域ごとに一つの再生リスト識別子に対応し、
前記信号受信モジュールはさらにパネル切替信号受信ユニットも含み、前記サードパーティーアプリケーションプログラムはさらにインターフェース表示ユニットを含み、
前記パネル切替信号受信ユニットは前記サードパーティーアプリケーションプログラムのインターフェースのマイクロ領域に作用するパネル切替信号を受信し、前記マイクロ領域は第１の音楽制御パネル又は第２の音楽制御パネルを含み、前記第１の音楽制御パネルと第２の音楽制御パネルのいずれも切替信号受信領域を含み、
前記インターフェース表示ユニットは、前記パネル切替信号受信ユニットが前記パネル切替信号を受信した後、前記サードパーティーアプリケーションプログラムのインターフェースのマイクロ領域に現在表示する音楽制御パネルを他方の音楽制御パネルに切り替えて表示し、
前記信号受信モジュールはドラッグ信号受信ユニットをさらに含み、
前記ドラッグ信号受信ユニットは前記サードパーティーアプリケーションプログラムのインターフェースのマイクロ領域に作用するドラッグ信号を受信し、
前記インターフェース表示ユニットは前記ドラッグ信号により前記サードパーティーアプリケーションプログラムのインターフェースのマイクロ領域の現在の表示内容の一部又は全部を第１の音楽制御パネル又は第２の音楽制御パネルに置換して表示する、
こることを特徴とするサードパーティーアプリケーションプログラム。
【請求項６】
前記信号受信モジュールは第１の選択信号受信ユニットと第２の選択信号受信ユニットとをさらに含み、
前記第１の選択信号受信ユニットは前記サードパーティーアプリケーションプログラムのドロップダウンメニューに作用する第１の選択信号を受信し、
前記インターフェース表示ユニットは前記第１の選択信号により前記ドロップダウンメニューの音楽項目を含むメニュー内容を表示し、
前記第２の選択信号受信ユニットは前記音楽項目に作用する第２の選択信号を受信し、
前記インターフェース表示ユニットは、前記第２の選択信号により前記サードパーティーアプリケーションプログラムのインターフェースのマイクロ領域に第１の音楽制御パネル又は第２の音楽制御パネルを表示する、
ことを特徴とする請求項５に記載のサードパーティーアプリケーションプログラム。
【請求項７】
前記サードパーティーアプリケーションプログラムは第３の選択信号受信ユニットをさらに含み、前記音楽再生モジュールはオンライン音楽取得ユニットと音楽再生ユニットとを含み、
前記第３の選択信号受信ユニットは前記サードパーティーアプリケーションプログラムのインターフェースの音楽リンクに作用する第３の選択信号を受信し、
前記信号伝送モジュールは前記第３の選択信号受信ユニットが第３の選択信号を受信した後、インターフェースを利用して前記音楽リンクを前記オンライン音楽取得ユニットに伝送し、
前記オンライン音楽取得ユニットは前記音楽リンクにより音楽データを取得し、
前記音楽再生ユニットは前記音楽データにより音楽を再生する、
ことを特徴とする請求項５に記載のサードパーティーアプリケーションプログラム。
【発明の詳細な説明】
【技術分野】
【０００１】
この出願は２０１１年１２月７日中国専利局に提出した、出願番号が２０１１１０４０３５９５．１であり、発明の名称が「音楽再生方法及びサードパーティーアプリケーション」である中国特許出願の優先権を要求し、その全ての内容は引用によりこの出願に組み合わせる。
【０００２】
本発明はコンピュータ技術分野に関し、特に音楽再生方法、サードパーティーアプリケーション及び装置に関する。
【背景技術】
【０００３】
音楽プレーヤーは人々が日常生活の中で例えば携帯電話、ポケットＰＣ、タブレットなどの移動端末を使用するとき、使用頻度が最も高いいくつかのアプリケーションのひとつである。
【０００４】
従来技術において、移動端末で実行される音楽プレーヤーは、通常、独立的に実行する音楽プレーヤーである。これらの音楽プレーヤーの機能は全面的であり、例えば、通常、ローカル音楽ファイルを再生する機能、オンライン音楽を再生する機能、オンライン音楽を分類してユーザーに提供する機能、オーディオイコライザーを調整する機能、アルバムのイメージと歌詞をダウンロードして表示する機能、音楽ファイルをダウンロードする機能を含む。そして、移動端末を使用している時、ユーザーは音楽プレーヤーを利用して音楽を鑑賞しながら、慣習上音楽プレーヤー以外の、主に視覚体験を提供するためのサードパーティーアプリケーションを使用してプレイしたり閲覧したりすることが分かる。これらのサードパーティーアプリケーションは、ゲームや閲覧型のアプリケーション、例えばブラウザ、ミニブログ、電子ブックリーダーなどであってもよい。
【０００５】
従来技術において、第一に、移動端末が音楽プレーヤーとサードパーティーアプリケーションを同時に実行する場合は、移動端末の演算性能、メモリ容量などのシステムリソース対する要求が比較的高く、フリーズや電力消耗が早いなどの現象が生じやすい。具体的には、音楽プレーヤーとサードパーティーアプリケーションを同時に実行する時、音楽プレーヤーは再生機能以外の他のバックグラウンドで実行するオーディオイコライザー機能、アルバムのイメージと歌詞をダウンロードして表示する機能や音楽ファイルをダウンロードする機能などの機能も実際はユーザーの要求外のシステムリソースを消耗する。第二に、ユーザーが同時に音楽プレーヤーとサードパーティーアプリケーションを使用すると、この二つのアプリケーションプログラムのインターフェースの間を相互に切り替える必要があり、ユーザーの使用に非常に不便である。そして、移動端末の処置能力に限界があるため、インターフェースを切り替えている間はスムーズに動かないことがよくある。
【発明の概要】
【０００６】
音楽プレーヤーとサードパーティーアプリケーションを同時に実行する時、移動端末へのリソースの占用を低減させるため、そしてユーザーが二つのインターフェースの間を切り替えなくても、音楽を鑑賞しながらサードパーティーアプリケーションを使用することを便利にするため、本発明の実施例は音楽再生方法、サードパーティーアプリケーション及び装置を提供する。前述技術方案は次のとおりである。
【０００７】
本発明の一側面によれば、本発明の実施例は、バックグラウンド音楽再生モジュールをサードパーティーアプリケーションに集積する音楽再生方法であって、
再生リスト識別子を含む音楽再生信号を受信する工程と、
予定インターフェースを利用して、前述音楽再生信号を前述バックグラウンド音楽再生モジュールに伝送する工程と、
前述バックグラウンド音楽再生モジュールが前述音楽再生信号の再生リスト識別子により対応する再生リストを取得する工程と、
前述バックグラウンド音楽再生モジュールが前述再生リストの中の音楽をランダムに再生する工程と、
を含む音楽再生方法を提供する。
【０００８】
本発明のもう一つの側面によれば、本発明の実施例は、さらに、サードパーティーアプリケーションであって、
再生リスト識別子を含む音楽再生信号を受信するための信号受信モジュールと、
予定インターフェースを利用して、前述音楽再生信号を前述バックグラウンド音楽再生モジュールに伝送するための信号伝送モジュールと、
再生リスト取得モジュールと音楽再生モジュールとを含むバックグラウンド音楽再生モジュールと、
前述音楽再生信号の中の再生リスト識別子により対応する再生リストを取得するための前述再生リスト取得モジュールと、
前述再生リスト取得モジュールが取得した再生リストの中の音楽をランダムに再生するための前述音楽再生モジュールと、
を含むサードパーティーアプリケーションを提供する。
【０００９】
本発明のもう一つの側面によれば、本発明の実施例は、さらに、音楽再生方法であって、
予定インターフェースを利用してサードパーティーアプリケーションが伝送する再生リスト識別子を含む音楽再生信号を受信する工程と、
前述音楽再生信号の中の再生リスト識別子により対応する再生リストを取得する工程と、
前述再生リストの中の音楽をランダムに再生する工程と、
を含む音楽再生方法を提供する。
【００１０】
本発明のもう一つの側面によれば、本発明の実施例は、さらに、音楽再生装置であって、
予定インターフェースを利用してサードパーティーアプリケーションが伝送する再生リスト識別子を含む音楽再生信号を受信するための第１の受信モジュールと、
前述音楽再生信号の中の再生リスト識別子により対応する再生リストを取得するための第１の取得モジュールと、
前述再生リストの中の音楽をランダムに再生するための第１の再生モジュールと、
を含むことを特徴とする音楽再生装置を提供する。
【００１１】
本発明の実施例において、一方でランダム再生などのコア機能だけを保留したバックグラウンド音楽再生モジュールをサードパーティーアプリケーションに集積することにより、音楽プレーヤーとサードパーティーアプリケーションを同時に実行する時の移動端末へのリソースの占用を低減させ、他方でサードパーティーアプリケーションのインターフェースを利用して、関連する音楽再生信号及びほかの制御信号を受信し、その後予定インターフェースによりバックグラウンド音楽再生モジュールに伝送する方式を用いることにより、ユーザーが二つのインターフェースの間を切り替える必要がなくなり、音楽を鑑賞しながらサードパーティーアプリケーションを使用することを便利にする。
【図面の簡単な説明】
【００１２】
本発明の実施例における技術方案をさらに明瞭に説明するために、以下に実施例の説明に使用する図面を簡単に紹介する。無論、以下の図面は本発明の一部の実施例に過ぎず、当業者にとって、創造的労働をしないことを前提に、これらの図面によりほかの図面も取得できる。
【００１３】
【図１】本発明の実施例１が提供する音楽再生方法の方法フローチャート
【図２】本発明の実施例２が提供する音楽再生方法の方法フローチャート
【図３】本発明の実施例２が提供する音楽再生方法の実施模式図
【図４】本発明の実施例３が提供する音楽再生方法の方法フローチャート
【図５】本発明の実施例３が提供する音楽再生方法の実施模式図
【図６】本発明の実施例４が提供する音楽再生方法の方法フローチャート
【図７】本発明の実施例４が提供する音楽再生方法の実施模式図
【図８】本発明の実施例５が提供する音楽再生方法の方法フローチャート
【図９】本発明の実施例５が提供する音楽再生方法の実施模式図
【図１０】本発明の実施例６が提供するサードパーティーアプリケーションの構造ブロック図
【図１１】本発明の実施例７が提供する音楽再生方法の方法フローチャート
【図１２】本発明の実施例８が提供する音楽再生装置の構造ブロック図
【発明を実施するための形態】
【００１４】
本発明の技術方案と利点を更に明瞭にするために、以下に図面を参照して本発明実施形態をさらに詳しく説明する。
【００１５】
実施例１
図１を参考して、この図は本発明の実施例１が提供する音楽再生方法を表すフローチャートである。本発明の実施例において、バックグラウンド音楽再生モジュールをサードパーティーアプリケーションに集積し、この方法は、
再生リスト識別子を含む音楽再生信号を受信するステップＳ１１と、
予定インターフェースを利用して、当該音楽再生信号をバックグラウンド音楽再生モジュールに伝送するステップＳ１２と、
バックグラウンド音楽再生モジュールはこの音楽再生信号の中の再生リスト識別子により対応する再生リストを取得するステップＳ１３と、
バックグラウンド音楽再生モジュールは再生リストの中の音楽をランダムに再生するステップＳ１４と、
を含む。
ただし、本発明の実施例において、サードパーティーアプリケーションを利用するインターフェースを通じて音楽再生信号を受信する。
【００１６】
上述のとおり、一方で本実施例１が提供する音楽再生方法はランダム再生などのコア機能だけを保留するバックグラウンド音楽再生モジュールをサードパーティーアプリケーションに集積することにより、音楽プレーヤーとサードパーティーアプリケーションを同時に実行する時の移動端末へのリソースの占用を低減させ、他方でサードパーティーアプリケーションのインターフェースを利用して音楽再生信号を受信し、その後予定インターフェースによりバックグラウンド音楽再生モジュールに伝送する方式を用いることにより、ユーザーが二つのインターフェースの間を切り替える必要がなくなり、音楽を鑑賞しながらサードパーティーアプリケーションを使用することを便利にする。
【００１７】
実施例２
図２を参考して、この図は本発明の実施例２が提供する音楽再生方法を表す方法フローチャートである。本文に記載するサードパーティーアプリケーションは主に移動端末において実行する視覚体験を提供するためのサードパーティーアプリケーションを指す。これらのサードパーティーアプリケーションはゲームや閲覧型のアプリケーションであってもよく、例えばブラウザ、ミニブログ、電子ブックリーダーなどがある。この音楽再生方法は以下のステップを含む。
【００１８】
バックグラウンド音楽再生モジュールをサードパーティーアプリケーションに集積するステップ１０１：
従来技術において、音楽プレーヤーとサードパーティーアプリケーションを同時に実行する時、音楽プレーヤーは、再生機能以外に、他のバックグラウンド実行するオーディオイコライザー機能、アルバムのイメージと歌詞をダウンロードして表示する機能、音楽ファイルをダウンロードする機能などの機能もユーザーの要求外のシステムリソースを消耗するが、音楽プレーヤーとサードパーティーアプリケーションを同時に実行する時に移動端末へのリソースの占用を低減するために、ランダム再生音楽などのコア機能だけを保留するコンパクト版のバックグラウンド音楽再生モジュールをサードパーティーアプリケーションに集積しておいてもよい。このバックグラウンド音楽再生モジュールは予定インターフェースを通じて例えば音楽再生信号、再生一時停止信号、次の曲信号などの制御信号を受信でき、そして再生リストを取得することによりローカル音楽とオンライン音楽をランダムに再生できる。
【００１９】
再生リスト識別子を含む音楽再生信号を受信するステップ１０２：
バックグラウンド音楽再生モジュールを集積するサードパーティーアプリケーションは自己のインターフェースを通じてユーザーがトリガする音楽再生信号を受信し、この音楽再生信号には再生リスト識別子が含まれる。例えば図３に示すように、このサードパーティーアプリケーション２００は閲覧型のアプリケーションであってもよく、サードパーティーアプリケーションのインターフェース上のマイクロ領域２０２は第１の音楽制御パネルを含み、このマイクロ領域２０２はサードパーティーアプリケーション２００のインターフェースより小さく、通常は周囲又はツールバーに設けられ、あるいはサードパーティーアプリケーション２００の閲覧領域を干渉しないように、半透明の方式でサードパーティーアプリケーション２００のメインインターフェースにフローティングして表示される。そして、この第１の音楽制御パネルはサードパーティーアプリケーションのインターフェース上の領域の占用を最小限にとどめるために、通常「再生/一時停止」アイコン、「次の曲」アイコン、少なくとも一つのリスト信号受信領域２０４だけを提供する。このリスト信号受信領域２０４は図３に表す「ローカル音楽」アイコンや「人気曲チャンネル」アイコンであってもよい。「ローカル音楽」アイコンは移動端末本体に記憶する音楽リストの識別子に対応してもよく、「人気曲チャンネル」アイコンはネット上の何れかの音楽リストの識別子に対応してもよい。ユーザーが曲を鑑賞したいとき、「ローカル音楽」アイコン又は「人気曲チャンネル」アイコンをクリックでき、この時サードパーティーアプリケーションは一つの音楽再生信号を受信でき、この音楽再生信号にはこのリスト信号受信領域に対応する再生リストの識別子が含まれる。
【００２０】
予定インターフェースを利用して音楽再生信号をバックグラウンド音楽再生モジュールに伝送するステップ１０３：
サードパーティーアプリケーションはこの音楽再生信号を受信した後、バックグラウンド音楽再生モジュールが提供する予定インターフェースを通じてこの音楽再生信号をバックグラウンド音楽再生モジュールに伝送でき、この予定インターフェースはバックグラウンド音楽再生モジュールが提供するＡＰＩ関数インターフェース（Ａｐｐｌｉｃａｔｉｏｎ  Ｐｒｏｇｒａｍｍｉｎｇ  Ｉｎｔｅｒｆａｃｅ）であってもよい。当然ながら、バックグラウンド音楽再生モジュールはほかの予定インターフェースを通じて他の制御信号、例えば再生一時停止信号と次の曲信号などを受信してもよい。
【００２１】
バックグラウンド音楽再生モジュールは音楽再生信号の中の再生リスト識別子により対応する再生リストを取得するステップ１０４：
バックグラウンド音楽再生モジュールは当該音楽再生信号を受信した後、当該音楽再生信号に含まれる再生リスト識別子により対応する再生リストを取得できる。例えば、当該音楽再生信号に含まれる再生リスト識別子に対応するのはローカル音楽の再生リストであれば、バックグラウンド音楽再生モジュールは移動端末からローカル音楽の再生リストを取得でき、または例えばこの音楽再生信号に含まれる再生リスト識別子に対応するのは人気曲チャンネルの再生リストであれば、バックグラウンド音楽再生モジュールはネットから人気曲チャンネルの再生リストを取得できる。この時、バックグラウンド音楽再生モジュールは通常予定の音楽サーバにネット接続を確立して対応する再生リストと後の音楽データを取得するが、ここの技術の詳細は当業者にとって公知の内容であるため、説明を省略する。
【００２２】
バックグラウンド音楽再生モジュールは再生リストの中の音楽をランダムに再生するステップ１０５：
バックグラウンド音楽再生モジュールは再生リストを取得した後、この再生リストにより再生リストの中の音楽をランダムに再生する。説明すべきことは、通常、バックグラウンド音楽再生モジュールはユーザーに表示するために、再生リストの関連情報をサードパーティーアプリケーションに送信する必要がなく、現在の再生音楽の曲名及びほかの情報だけをサードパーティーアプリケーションに送信してこのインターフェース上のマイクロ領域に表示する。したがってユーザーはサードパーティーアプリケーションのインターフェースを通じて再生リストの関連情報を取得できない。ユーザーは現在の音楽を聴きたくなくなった時は、「次の曲」ボタンをトリガすることのみによりバックグラウンド音楽再生モジュールに次の曲の音楽をランダムに再生させることができる。
【００２３】
上述のとおり、一方で本実施例２が提供する音楽再生方法はランダム再生などのコア機能だけを保留するバックグラウンド音楽再生モジュールをサードパーティーアプリケーションに集積することにより、音楽プレーヤーとサードパーティーアプリケーションを同時に実行する時の移動端末へのリソースの占用を低減させ、他方で本実施例２が提供する音楽再生方法はサードパーティーアプリケーションのインターフェースを利用して関連する音楽再生信号とほかの制御信号を受信し、その後予定インターフェースによりバックグラウンド音楽再生モジュールに伝送する方式を用いることにより、ユーザーが二つのインターフェースの間を切り替える必要がなくなり、音楽を鑑賞しながらサードパーティーアプリケーションを使用することを便利にする。補足して説明すべきことは、リスト信号受信領域ごとに一つの再生リスト識別子に対応している。再生リストはバックグラウンド音楽再生モジュールが提供するさまざまな再生リストであってもよく、例えばローカル音楽再生リスト、マイコレクション再生リスト、異なる類別のオンライン音楽再生リストの中の一つの再生リストであってもよい。再生リストが利用する分類は欧米人気曲、欧米新曲、中国人気曲、中国新曲、クラシック、ラブソング集、人気曲チャンネルなどであってもよい。
【００２４】
実施例３
図４を参考して、この図は本発明の実施例３が提供する音楽再生方法を表す方法フローチャートである。このサードパーティーアプリケーションには予めバックグラウンド音楽再生モジュールを集積しており、当該音楽再生方法は以下のステップを含む。
【００２５】
サードパーティーアプリケーションのドロップダウンメニューに作用する第１の選択信号を受信するステップ３０１：
ユーザーがサードパーティーアプリケーションを使用する時、必ずしも同時に音楽を鑑賞するとは限らず、実施例２のサードパーティーアプリケーションのインターフェース上のマイクロ領域は表示しておかなくてもよい。図５（Ａ)に示すように、ユーザーが当該サードパーティーアプリケーションを使用する時、まず、サードパーティーアプリケーションのドロップダウンメニューに第１の選択信号４０２を送信することができる。サードパーティーアプリケーションはこの第１の選択信号を受信することができる。
【００２６】
第１の選択信号によりドロップダウンメニューの音楽項目を含むメニュー内容を表示するステップ３０２：
図５（Ｂ)に示すように、サードパーティーアプリケーションが当該第１の選択信号を受信した後、当該第１の選択信号によりドロップダウンメニューのメニュー内容４０４を表示してもよい。メニュー内容は音楽項目４０６を含む。
【００２７】
音楽項目に作用する第２の選択信号を受信するステップ３０３：
ユーザーがサードパーティーアプリケーションを使用する時に同時に音楽を鑑賞したい場合、図５（Ｃ)に示すように、メニュー内容の中の音楽項目に第２の選択信号４０８を送信する。サードパーティーアプリケーションはこの第２の選択信号を受信することができる。
例えば、図５の（Ｃ)を参照して、サードパーティーアプリケーションに音楽項目「ＱＱ音楽」が含まれ、ユーザーは指で（図５(Ｃ)の○はユーザーの指を示す)音楽項目「ＱＱ音楽」に作用することにより第２の選択信号４０８を発生させ、サードパーティーアプリケーションに引き渡すことができる。
【００２８】
第２の選択信号によりサードパーティーアプリケーションのインターフェースのマイクロ領域に第１の音楽制御パネルを表示するステップ３０４：
図５（Ｄ)に示すように、サードパーティーアプリケーションはこの第２の選択信号を受信した後、第２の選択信号によりサードパーティーアプリケーションのインターフェースのマイクロ領域に第１の音楽制御パネルを表示してもよい。第１の音楽制御パネルは通常、「再生/一時停止」アイコン、「次の曲」アイコン及び少なくとも一つのリスト信号受信領域だけを提供する。このリスト信号受信領域は図５（Ｄ)に示す「ローカル音楽」アイコン、「人気曲チャンネル」アイコンであってもよい。「ローカル音楽」アイコンは移動端末本体内に記憶する音楽リストの識別子に対応してもよく、「人気曲チャンネル」アイコンはネット上の何れかの音楽リストの識別子に対応してもよい。
【００２９】
再生リスト識別子を含む音楽再生信号を受信するステップ３０５：
ユーザーが曲を鑑賞したい時、「ローカル音楽」アイコンや「人気曲チャンネル」アイコンをクリックしてもよく、この時サードパーティーアプリケーションが一つの音楽再生信号を受信でき、この音楽再生信号にはこのリスト信号受信領域に対応する再生リストの識別子が含まれる。
【００３０】
予定インターフェースを利用して音楽再生信号をバックグラウンド音楽再生モジュールに伝送するステップ３０６：
サードパーティーアプリケーションはこの音楽再生信号を受信した後、バックグラウンド音楽再生モジュールが提供する予定インターフェースを通じて当該音楽再生信号をバックグラウンド音楽再生モジュールに伝送でき、当該予定インターフェースはバックグラウンド音楽再生モジュールが提供するＡＰＩ関数インターフェース（Ａｐｐｌｉｃａｔｉｏｎ  Ｐｒｏｇｒａｍｍｉｎｇ  Ｉｎｔｅｒｆａｃｅ）であってもよい。当然ながら、バックグラウンド音楽再生モジュールはほかの予定インターフェースを通じてほかの制御信号、例えば再生一時停止信号と次の曲信号などを受信してもよい。
【００３１】
バックグラウンド音楽再生モジュールは音楽再生信号の中の再生リスト識別子により対応する再生リストを取得するステップ３０７：
バックグラウンド音楽再生モジュールは当該音楽再生信号を受信した後、当該音楽再生信号に含まれる再生リスト識別子により対応する再生リストを取得でき、例えば、当該音楽再生信号に含まれる再生リスト識別子に対応するのはローカル音楽の再生リストであれば、バックグラウンド音楽再生モジュールは移動端末からローカル音楽の再生リストを取得でき、または例えば当該音楽再生信号に含まれる再生リスト識別子に対応するのは人気曲チャンネルの再生リストであれば、バックグラウンド音楽再生モジュールはネットから人気曲チャンネルの再生リストを取得できる。この時、バックグラウンド音楽再生モジュールは、通常、予定の音楽サーバにネット接続を確立して対応する再生リストと後の音楽データを取得するが、この技術の詳細は当業者にとって公知の内容であるため、説明を省略する。
【００３２】
バックグラウンド音楽再生モジュールは再生リストの音楽をランダムに再生するステップ３０８：
バックグラウンド音楽再生モジュールは再生リストを取得した後、当該再生リストにより再生リストの中の音楽をランダムに再生する。説明すべきことは、通常は、バックグラウンド音楽再生モジュールはユーザーに表示するために再生リストの関連情報をサードパーティーアプリケーションに送信する必要がなく、現在の再生音楽の曲名及びほかの情報だけをサードパーティーアプリケーションに送信してこのインターフェース上のマイクロ領域に表示する。そのため、ユーザーはサードパーティーアプリケーションのインターフェースを通じて再生リストの関連情報を取得できない。ユーザーは現在の音楽を聴きたくなくなった時は、「次の曲」ボタンをトリガすることのみによりバックグラウンド音楽再生モジュールに次の曲の音楽をランダムに再生させることができる。
【００３３】
上述のように、一方で本実施例３が提供する音楽再生方法はランダム再生などのコア機能だけを保留するバックグラウンド音楽再生モジュールをサードパーティーアプリケーションに集積することにより、同時に音楽プレーヤーとサードパーティーアプリケーションを実行する時の移動端末へのリソースの占用を低減させ、他方で本実施例３が提供する音楽再生方法はサードパーティーアプリケーションのインターフェースを利用して関連する音楽再生信号とほかの制御信号を受信し、その後予定インターフェースによりバックグラウンド音楽再生モジュールに伝送する方式を用いることにより、ユーザーが二つのインターフェースの間を切り替える必要がなくなり、音楽を鑑賞しながらサードパーティーアプリケーションを使用することを便利にする。そして、本実施例３が提供する音楽再生方法はより気配りのあるインターアクティブ方式を提供して、ユーザーの使用性を向上させる。
【００３４】
実施例４
図６を参考して、この図は本発明の実施例４が提供する音楽再生方法を表す方法フローチャートである。当該サードパーティーアプリケーションには予めバックグラウンド音楽再生モジュールが集積されており、当該音楽再生方法は以下のステップを含む。
【００３５】
サードパーティーアプリケーションのインターフェースのマイクロ領域に作用するドラッグ信号を受信するステップ５０１：
ユーザーはサードパーティーアプリケーションを使用する時、必ずしも同時に鑑賞音楽を鑑賞したいとは限らないため、実施例２のサードパーティーアプリケーションのインターフェース上のマイクロ領域にはほかの内容を表示しておいてもよい。図７（Ａ)に示すように、ユーザーがこのサードパーティーアプリケーションを使用する時、サードパーティーアプリケーションのインターフェース上のマイクロ領域６０２にドラッグ信号６０４を送信できる。サードパーティーアプリケーションはこのドラッグ信号６０４を受信できる。
例えば、図７(Ａ)を参照して、ユーザーは指でマイクロ領域６０２にドラッグしてドラッグ信号６０４を発生させた後、ドラッグ信号６０４をサードパーティーアプリケーションに引き渡すことができる。
【００３６】
ドラッグ信号によりサードパーティーアプリケーションのインターフェースのマイクロ領域上の現在表示内容の一部又は全部を第１の音楽制御パネルに置換して表示するステップ５０２：
図７（Ｂ)に示すように、このマイクロ領域に初期状態で表示する内容はサードパーティーアプリケーションに関連する内容であり、そしてサードパーティーアプリケーションがこのドラッグ信号６０４を受信した後、このドラッグ信号６０４によりこのマイクロ領域内の元の表示内容の一部又は全部を第１の音楽制御パネル６０４に置換して表示してもよい。第１の音楽制御パネルは、通常、「再生/一時停止」アイコン、「次の曲」アイコン、少なくとも一つのリスト信号受信領域だけを提供する。このリスト信号受信領域は図７（Ｂ)に表す「ローカル音楽」アイコン、「人気曲チャンネル」アイコンであってもよい。「ローカル音楽」アイコンは移動端末本体内に記憶する音楽リストの識別子に対応してもよく、「人気曲チャンネル」アイコンはネット上の何れかの音楽リストの識別子に対応してもよい。
【００３７】
再生リスト識別子を含む音楽再生信号を受信するステップ５０３：
ユーザーが曲を鑑賞したい時、「ローカル音楽」アイコンや「人気曲チャンネル」アイコンをクリックしてもよく、この時サードパーティーアプリケーションが一つの音楽再生信号を受信でき、この音楽再生信号にはこのリスト信号受信領域に対応する再生リストの識別子が含まれる。
【００３８】
予定インターフェースを利用して音楽再生信号をバックグラウンド音楽再生モジュールに伝送するステップ５０４：
サードパーティーアプリケーションはこの音楽再生信号を受信した後、バックグラウンド音楽再生モジュールが提供する予定インターフェースを通じてこの音楽再生信号をバックグラウンド音楽再生モジュールに伝送でき、この予定インターフェースはバックグラウンド音楽再生モジュールが提供するＡＰＩ関数インターフェース（Ａｐｐｌｉｃａｔｉｏｎ  Ｐｒｏｇｒａｍｍｉｎｇ  Ｉｎｔｅｒｆａｃｅ）であってもよい。当然ながら、バックグラウンド音楽再生モジュールはほかの予定インターフェースを通じてほかの制御信号、例えば再生一時停止信号や次の曲信号などを受信してもよい。
【００３９】
バックグラウンド音楽再生モジュールは音楽再生信号の中の再生リスト識別子により対応する再生リストを取得するステップ５０５：
バックグラウンド音楽再生モジュールはこの音楽再生信号を受信した後、この音楽再生信号に含まれる再生リスト識別子により対応する再生リストを取得でき、例えば、この音楽再生信号に含まれる再生リスト識別子に対応するのはローカル音楽の再生リストであれば、バックグラウンド音楽再生モジュールは移動端末からローカル音楽の再生リストを取得でき、または例えばこの音楽再生信号に含まれる再生リスト識別子に対応するのは人気曲チャンネルの再生リストであれば、バックグラウンド音楽再生モジュールはネットから人気曲チャンネルの再生リストを取得できる。この時、バックグラウンド音楽再生モジュールは、通常、予定の音楽サーバにネット接続を確立して対応する再生リストと後の音楽データを取得するが、この技術の詳細は当業者にとって公知の内容であるため、説明を省略する。
【００４０】
バックグラウンド音楽再生モジュールは再生リストの中の音楽をランダムに再生するステップ５０６：
バックグラウンド音楽再生モジュールは再生リストを取得した後、この再生リストにより再生リストの音楽をランダムに再生してもよい。説明すべきことは、通常は、バックグラウンド音楽再生モジュールはユーザーに表示するために再生リストの関連情報をサードパーティーアプリケーションに送信する必要がなく、現在の再生音楽の曲名及びほかの情報だけをサードパーティーアプリケーションに送信してこのインターフェース上のマイクロ領域に表示する。したがって、ユーザーはサードパーティーアプリケーションのインターフェースを通じて再生リストの関連情報を取得できない。ユーザーは現在の音楽を聴きたくなくなった時、「次の曲」ボタンをトリガすることのみによりバックグラウンド音楽再生モジュールに次の曲の音楽をランダムに再生させることができる。
【００４１】
上述のように、一方で本実施例４が提供する音楽再生方法はランダム再生などのコア機能だけを保留するバックグラウンド音楽再生モジュールをサードパーティーアプリケーションに集積することにより、音楽プレーヤーとサードパーティーアプリケーションを同時に実行する時の移動端末へのリソースの占用を低減させ、他方で本実施例４が提供する音楽再生方法はサードパーティーアプリケーションのインターフェースを利用して関連する音楽再生信号とほかの制御信号を受信し、その後予定インターフェースによりバックグラウンド音楽再生モジュールに伝送する方式を用いることにより、ユーザーが二つのインターフェースの間を切り替える必要がなくなり、音楽を鑑賞しながらサードパーティーアプリケーションを使用することを便利にする。そして、本実施例４が提供する音楽再生方法はより気配りのあるインターアクティブ方式を提供して、ユーザーの使用性を向上させる。
【００４２】
実施例５
図８を参考して、この図は本発明の実施例５が提供する音楽再生方法を表す方法フローチャートである。この音楽再生方法は、実施例３、４が提供する音楽再生方法と組み合わせて使用でき、この音楽再生方法は以下のステップを含む。
【００４３】
サードパーティーアプリケーションのインターフェースのマイクロ領域に作用するパネル切替信号を受信するステップであって、マイクロ領域に第１の音楽制御パネル又は第２の音楽制御パネルを含み、第１の音楽制御パネルと第２の音楽制御パネルの何れも切替信号受信領域を含むステップ７０２：
音楽再生に関する制御領域をサードパーティーインターフェースのもっと小さなマイクロ領域を占めるようにするために、二つ又は複数の音楽制御パネルを設計しておいてもよく、例えば音楽制御パネルに第１の音楽制御パネル８２０と第２の音楽制御パネル８４０が含まれ、第１の音楽制御パネル８２０が少なくとも一つのリスト信号受信領域８２２と切替信号受信領域８２４を含むようにしてもよい。一つの具体的な実施例において、図９（Ａ)に示すように、第１の音楽制御パネル８２０は四つのリスト信号受信領域８２２と一つの切替信号受信領域８２４を含むようにしてもよく、図９（Ｂ)に示すように、第２の音楽制御パネル８４０は再生/一時停止アイコン、次の曲アイコン、切替信号受信領域８４４を含むようにしてもよい。初期状態において、音楽制御パネルに表示するのは第２の音楽制御パネル８４０とすれば、ユーザーがチャンネルを選択したい時、切替信号受信領域８４４にパネル切替信号を送信できる。サードパーティーアプリケーションはこのパネル切替信号を受信できる。
【００４４】
パネル切替信号を受信した後、サードパーティーアプリケーションのインターフェースのマイクロ領域に現在表示する音楽制御パネルを他方の音楽制御パネルに切り替えて表示するステップ７０４：
サードパーティーアプリケーションはこのパネル切替信号を受信した後、サードパーティーアプリケーションのインターフェースのマイクロ領域に現在表示する第２の音楽制御パネル８４０を第１の音楽制御パネル８２０に切り替えて表示してもよい。同様に、ユーザーがほかの制御信号を送信したい時、第２の音楽制御パネル８４０に切り替えて表示するように、第１の音楽制御パネル８２０上の切替信号受信領域８２４においてパネル切替信号を送信する。
本実施例５が提供する音楽再生方法を前述実施例が提供する音楽再生方法と組み合わせて使用する時、サードパーティーアプリケーションのインターフェースのマイクロ領域に始めて音楽制御パネルを表示する時、任意に第１の音楽制御パネル又は第２の音楽制御パネルの中のひとつを表示してもよく、その後はユーザーの選択により切り替えて表示するようにしてもよい。同時に当業者は音楽制御パネルが二つだけでなく、二つ以上であってもよいと予見することができる。
【００４５】
上述のように、本実施例５が提供する音楽再生方法はさらにマイクロ領域への占用を低減させ、前述実施例が提供する音楽再生方法と組み合わせて使用できる。さらに説明すべきことは、上述した各々の実施例におけるバックグラウンド音楽再生モジュールは何れも再生オンライン音楽の機能を有するため、これらの音楽再生方法を社交型アプリケーション、ミニブログ型アプリケーションやウエブ閲覧型アプリケーションに用いる時、これらのサードパーティーアプリケーションの表示内容に、検索された或いはほかのユーザーによりシェアされた音楽リンクが含まれる場合、前述音楽再生方法は、サードパーティーアプリケーションのインターフェースの音楽リンクに作用する第３の選択信号を受信するステップと、第３の選択信号を受信した後、予定インターフェースを利用して音楽リンクをバックグラウンド音楽再生モジュールを伝送するステップと、バックグラウンド音楽再生モジュールはこの音楽リンクにより音楽データを取得するステップと、バックグラウンド音楽再生モジュールは取得した音楽データにより音楽を再生するステップと、の二つのステップをさらに含んでもよい。例えば、本音楽再生方法を採用するミニブログのクライアントにおいて、ユーザーＡはユーザーＢがシェアしているミニブログの内容にある「ＸＸ交響曲」という音楽リンクをみて、ユーザーＡがこの音楽リンクをクリックした後、このミニブログのクライアントはこのクリック信号を受信でき、その後その内蔵するバックグラウンド音楽再生モジュールを自動的に起動してこの音楽リンクに対応する曲を再生する。
【００４６】
実施例６
図１０を参考して、この図は本発明の実施例６が提供するサードパーティーアプリケーションを表す構造ブロック図である。このサードパーティーアプリケーションは、バックグラウンド音楽再生モジュールを集積し、インターフェース表示ユニット９１０と、信号受信モジュール９２０と、信号伝送モジュール９３０と、バックグラウンド音楽再生モジュール９４０と、及びその内部に含む再生リスト取得モジュール９４２と、音楽再生モジュール９４４と、を含む。
【００４７】
インターフェース表示ユニット９１０はサードパーティーアプリケーションのインターアクティブインターフェースを表示する。
【００４８】
信号受信モジュール９２０はユーザーがサードパーティーアプリケーションのインターアクティブインターフェースを利用してトリガする各種の信号を受信することができ、例えば、一つの具体的な実施例において、信号受信モジュール９２０は、インターフェース表示ユニット９１０が表示するサードパーティーアプリケーションのインターフェースのマイクロ領域に作用する音楽再生信号を受信するための音楽再生信号受信ユニット９２１を含んでもよく、インターフェース表示ユニット９１０が表示するサードパーティーアプリケーションのインターフェースのマイクロ領域には第１の音楽制御パネルが含まれ、この第１の音楽制御パネルは少なくとも一つのリスト信号受信領域を含み、リスト信号受信領域ごとに一つの再生リスト識別子に対応する。
【００４９】
信号伝送モジュール９３０は予定インターフェースを利用して音楽再生信号をバックグラウンド音楽再生モジュール９３０に伝送してもよい。
【００５０】
再生リスト取得モジュール９４２は信号伝送モジュールが伝送する音楽再生信号の中の再生リスト識別子により対応する再生リストを取得してもよい。
【００５１】
音楽再生モジュール９４４は再生リスト取得モジュール９４２が取得した再生リストの中の音楽をランダムに再生するようにしてもよい。音楽再生モジュール９４４は具体的にオンライン音楽取得ユニット９４４２と音楽再生ユニット９４４４を含む。ただし、オンライン音楽取得ユニット９４４２はオンライン音楽データを取得でき、そして音楽再生ユニット９４４４は音楽データにより音楽を再生でき、この音楽データはローカル音楽データであってもよいし、オンライン音楽取得ユニット９４４２が取得するオンライン音楽データであってもよい。
【００５２】
もう一つの具体的な実施例において、信号受信モジュール９２０はパネル切替信号受信ユニット９２２を含んでもよく、パネル切替信号受信ユニット９２２はインターフェース表示ユニット９１０が表示するサードパーティーアプリケーションのインターフェースのマイクロ領域に作用するパネル切替信号を受信し、インターフェース表示ユニット９１０が表示するサードパーティーアプリケーションのインターフェースのマイクロ領域には第１の音楽制御パネル又は第２の音楽制御パネルが含まれ、前述第１の音楽制御パネルと第２の音楽制御パネルの何れも切替信号受信領域を含む。この時インターフェース表示ユニット９１０はパネル切替信号受信ユニット９２２がパネル切替信号を受信した後、サードパーティーアプリケーションのインターフェースのマイクロ領域に現在表示する音楽制御パネルを他方の音楽制御パネルに切り替えて表示する。
【００５３】
もう一つの具体的な実施例において、信号受信モジュール９２０は第１の選択信号受信ユニット９２３と第２の選択信号受信ユニット９２４をさらに含んでもよい。ただし、第１の選択信号受信ユニット９２３はインターフェース表示ユニット９１０が表示するサードパーティーアプリケーションのドロップダウンメニューに作用する第１の選択信号を受信し、その後インターフェース表示ユニット９２０はさらに第１の選択信号によりドロップダウンメニューのメニュー内容を表示し、このメニュー内容には音楽項目が含まれ、第２の選択信号受信ユニット９２４は音楽項目に作用する第２の選択信号を受信し、インターフェース表示ユニット９２０はさらに第２の選択信号によりサードパーティーアプリケーションのインターフェースのマイクロ領域に第１の音楽制御パネル又は第２の音楽制御パネルを表示する。
【００５４】
もう一つの具体的な実施例において、信号受信モジュール９２０はさらにドラッグ信号受信ユニット９２５を含んでもよい。ただし、ドラッグ信号受信ユニット９２５はインターフェース表示ユニット９１０が表示するサードパーティーアプリケーションのインターフェースのマイクロ領域に作用するドラッグ信号を受信し、その後インターフェース表示ユニット９１０はドラッグ信号によりサードパーティーアプリケーションのインターフェースのマイクロ領域の現在の表示内容の一部又は全部を第１の音楽制御パネル又は第２の音楽制御パネルに置換して表示する。
【００５５】
もう一つの具体的な実施例において、信号受信モジュール９２０は第３の選択信号受信ユニット９５６を含んでもよい。第３の選択信号受信ユニット９５６はインターフェース表示ユニット９１０が表示するサードパーティーアプリケーションのインターフェースに作用する音楽リンクの第３の選択信号を受信し、信号伝送モジュール９３０はさらに第３の選択信号受信ユニット９５６が第３の選択信号を受信した後、予定インターフェースを利用して音楽リンクをオンライン音楽取得ユニット９４４２に伝送し、オンライン音楽取得ユニット９４４２はさらに信号伝送モジュール９３０が伝送する音楽リンクにより音楽データを取得し、音楽再生ユニット９４４４はオンライン音楽取得ユニット９４４２が取得した音楽データにより音楽を再生する。
【００５６】
上述のとおり、一方で本実施例６が提供するサードパーティーアプリケーションは、ランダム再生などのコア機能だけを保留するバックグラウンド音楽再生モジュールをサードパーティーアプリケーションに集積することにより、音楽プレーヤーとサードパーティーアプリケーションを同時に実行する時の移動端末へのリソースの占用を低減させ、他方で本実施例６が提供するサードパーティーアプリケーションは、サードパーティーアプリケーションのインターフェースを利用して関連する音楽再生信号とほかの制御信号を受信し、その後予定インターフェースによりバックグラウンド音楽再生モジュールに伝送する方式を用いることにより、ユーザーは二つのインターフェースの間を切り替える必要がなくなり、音楽を鑑賞しながらサードパーティーアプリケーションを使用することを便利にする。
【００５７】
実施例７
図１１を参照して、この図は本実施例５が提供する音楽再生方法を表す方法フローチャーである。この方法は、
予定インターフェースを利用してサードパーティーアプリケーションが伝送する再生リスト識別子を含む音楽再生信号を受信するステップ１００１と、
当該音楽再生信号の中の再生リスト識別子により対応する再生リストを取得するステップ１００２と、
この再生リストの音楽をランダムに再生するステップ１００３と、
を含む。
【００５８】
さらに、この方法は、
予定インターフェースを利用してサードパーティーアプリケーションが伝送する音楽リンクを受信するステップと、この音楽リンクにより音楽データを取得するステップと、この音楽データにより音楽を再生するステップと、をさらに含む。
【００５９】
本発明の実施例において、予定インターフェースを利用してサードパーティーアプリケーションが伝送する音楽再生信号を受信し、この音楽再生信号により再生リストを取得してこの音楽再生リストの中の音楽をランダムに再生することにより、ユーザーが二つのインターフェースの間を切り替える必要がなくなり、音楽を鑑賞しながらサードパーティーアプリケーションを使用することを便利にする。
【００６０】
実施例８
図１２を参考して、この図は本実施例５が提供する音楽再生装置を表す構造模式図である。この装置は、
予定インターフェースを利用してサードパーティーアプリケーションが伝送する再生リスト識別子を含む音楽再生信号を受信する第１の受信モジュール１１０１と、
この音楽再生信号の中の再生リスト識別子により対応する再生リストを取得する第１の取得モジュール１１０２と、
この再生リストの中の音楽をランダムに再生する第１の再生モジュール１１０３と、
を含む。
【００６１】
さらに、この装置は、
予定インターフェースを利用してサードパーティーアプリケーションが伝送する音楽リンクを受信する第２の受信モジュールと、
この音楽リンクにより音楽データを取得する第２の取得モジュールと、
この音楽データにより音楽を再生する第２の再生モジュールと、
をさらに含む。
【００６２】
本発明の実施例において、予定インターフェースを利用してサードパーティーアプリケーションが伝送する音楽再生信号を受信し、この音楽再生信号により再生リストを取得してこの音楽再生リストの中の音楽をランダムに再生することにより、ユーザーが二つのインターフェースの間を切り替える必要がなくなり、音楽を鑑賞しながらサードパーティーアプリケーションを使用することを便利にする。
【００６３】
説明すべきことは、上述実施例が提供するサードパーティーアプリケーションは、実施例６において説明する時、上述各機能モジュールに区分したもののみを例示し説明したが、実際の応用においては、必要に応じて上述機能を異なる機能モジュールで実現することができ、すなわち、以上に説明した全部又は一部の機能を実現するために、装置の内部構造を異なる機能モジュールに区分することができる。なお、上述実施例が提供するサードパーティーアプリケーションは前述各方法実施例と同一の思想に基づくものであり、その具体的な実現過程は方法の実施例を参照することができるため、ここでは説明を省略する。
【００６４】
当業者は、上述実施例の全部や一部のステップをハードウェアで実現してもよいし、プログラムにより関連するハードウェアを指令して実現してもよいことを理解し、前述のプログラムはコンピュータが読み込み可能な記憶媒体のひとつに記憶してもよく、上述説明した記憶媒体はＲＯＭ、磁気ディスクや、光ディスクなどであってもよい。
【００６５】
以上の記載は本発明の好ましい実施例に過ぎず、本発明を限定するものではなく、本発明の精神と原則を逸脱しない任意の修正、置換、改善なども本発明の保護範囲に含まれるものとする。
【図１】
0005728624.tif 000002
【図２】
0005728624.tif 000003
【図３】
0005728624.tif 000004
【図４】
0005728624.tif 000005
【図５】
0005728624.tif 000006
【図６】
0005728624.tif 000007
【図７】
0005728624.tif 000008
【図８】
0005728624.tif 000009
【図９】
0005728624.tif 000010
【図１０】
0005728624.tif 000011
【図１１】
0005728624.tif 000012
【図１２】
0005728624.tif 000013